(57)【要約】【課題】所望の取引データの特定を容易にするとともに、その特定された取引データが示す取引内容を見やすく表示する。【解決手段】情報処理装置１によれば、ＣＰＵ２１は、電子ジャーナルファイル４０から取得された複数の取引データの一覧を表示部２４ａにより表示させ、表示された一覧の中からいずれかの行が選択された場合に、選択された行の領域を広げ、広げた領域内に当該領域に表示されている取引データが示す取引において発行されたレシート又はレポートの少なくとも一部のイメージ５２ａを表示させる。【選択図】図７
2020087405.tif 000002
【特許請求の範囲】
【請求項１】
実施された取引に関する取引データの一覧を表示する表示手段と、
前記表示手段に表示された一覧の中からいずれかの行が選択された場合に、選択された行の領域を広げ、広げた領域内に当該領域に表示されている取引データが示す取引において発行されたレシート又はレポートの少なくとも一部のイメージを表示させる制御手段と、
を備える情報処理装置。
【請求項２】
前記制御手段は、前記広げた領域内に、さらに、当該領域に表示されているレシート又はレポートの印刷を指示するための印刷キーを表示させ、前記印刷キーが操作された場合に、前記レシート又は前記レポートを印刷手段に印刷させる請求項１に記載の情報処理装置。
【請求項３】
前記制御手段は、前記表示手段に表示された一覧の中から複数の行が選択された場合、選択された複数の行の領域をそれぞれ広げ、広げた各領域内に、その領域に表示されている取引データが示す取引において発行されたレシート又はレポートのイメージを表示させる請求項１又は２に記載の情報処理装置。
【請求項４】
前記制御手段は、前記広げた領域内に表示されたレシート又はレポートのイメージが操作された場合に、前記レシート又は前記レポートの全体のイメージが表示された別画面を前記表示手段に表示させる請求項１〜３のいずれか一項に記載の情報処理装置。
【請求項５】
コンピュータを、
実施された取引に関する取引データの一覧を表示する表示手段、
前記表示手段に表示された一覧の中からいずれかの行が選択された場合に、選択された行の領域を広げ、広げた領域内に当該領域に表示されている取引データが示す取引において発行されたレシート又はレポートの少なくとも一部のイメージを表示させる制御手段、
として機能させるためのプログラム。
【発明の詳細な説明】
【技術分野】
【０００１】
本発明は、情報処理装置及びプログラムに関する。
【背景技術】
【０００２】
従来、顧客に販売した商品の売上登録等を行うＥＣＲ（Electronic Cash Resister）等の情報処理装置において、その装置で行われた取引に関する取引データを電子ジャーナルファイルに記録するものが知られている。例えば、特許文献１には、ユーザの商取引の取引番号の入力を受け付け、入力された取引時刻や取引番号により特定される商取引データを電子ジャーナルファイルから読み出してイメージ表示するジャーナル出力画面を表示し、その商取引データを印字する金銭登録装置が記載されている。
【先行技術文献】
【特許文献】
【０００３】
【特許文献１】特開２００３−１３２４３４号公報
【発明の概要】
【発明が解決しようとする課題】
【０００４】
しかしながら、従来のジャーナル出力画面では、オペレーターが確認したい取引の取引時刻や取引番号を入力して対象を特定しなければならず、所望の取引データを特定することは容易ではなかった。また、特定された取引データが示す取引の取引内容を見やすく表示することはできなかった。
【０００５】
本発明の課題は、所望の取引データの特定を容易にするとともに、その特定された取引データが示す取引内容を見やすく表示することである。
【課題を解決するための手段】
【０００６】
上記課題を解決するため、本発明の情報処理装置は、
実施された取引に関する取引データの一覧を表示する表示手段と、
前記表示手段に表示された一覧の中からいずれかの行が選択された場合に、選択された行の領域を広げ、広げた領域内に当該領域に表示されている取引データが示す取引において発行されたレシート又はレポートの少なくとも一部のイメージを表示させる制御手段と、
を備える。
【発明の効果】
【０００７】
本発明によれば、所望の取引データの特定を容易にするとともに、その特定された取引データが示す取引内容を見やすく表示することができる。
【図面の簡単な説明】
【０００８】
【図１】第１の実施形態に係る情報処理装置の外観図である。
【図２】図１の情報処理装置の機能的構成を示すブロック図である。
【図３】電子ジャーナルファイルのデータ格納例を示す図である。
【図４】電子ジャーナルファイルに格納されるレシートのイメージデータの一例を示す図である。
【図５】電子ジャーナルファイルに格納されるレポートのイメージデータの一例を示す図である。
【図６】図２のＣＰＵにより実行される電子ジャーナル表示処理を示すフローチャートである。
【図７】電子ジャーナル画面の一例を示す図である。
【図８】検索条件の入力画面の一例を示す図である。
【図９】電子ジャーナル画面の一覧からいずれかの行が選択された場合の表示の変化を示す図である。
【図１０】電子ジャーナル画面に表示されたレシート又はレポートのイメージがタッチ操作された場合に表示されるイメージ表示画面の一例を示す図である。
【図１１】電子ジャーナル画面の一覧から複数行が選択された場合の表示の変化を示す図である。
【図１２】第２の実施形態における電子ジャーナル画面の一例を示す図である。
【図１３】電子ジャーナル画面の一覧からいずれかの展開キーがタッチ操作された場合の表示の変化を示す図である。
【発明を実施するための形態】
【０００９】
以下、添付図面を参照して本発明に係る実施形態を詳細に説明する。なお、本発明は、図示例に限定されるものではない。
【００１０】
［第１の実施形態］
（情報処理装置１の構成）
図１〜図２を参照して、第１の実施形態に係る情報処理装置１の構成について説明する。
情報処理装置１は、個人商店、スーパーマーケット等の店舗に設置されるＥＣＲ（Electronic Cash Resister）等であり、店員（オペレーター）の操作により顧客に販売した商品の金額、個数等の売上登録等を行う装置である。
【００１１】
図１は、情報処理装置１を示す外観図である。図１に示すように、情報処理装置１は、本体部２０１と、印刷部２８と、ドロア２９と、を備える。本体部２０１は、タッチパネルとしての操作部２２と、当該タッチパネルを表示画面上に設けた店員用の表示部２４ａと、顧客用の表示部２４ｂと、を備える。表示部２４ａは、ＬＣＤ（Liquid Crystal Display）、ＥＬ（Electro Luminescent）ディスプレイ等で構成され、店員用の各種画面情報等を表示する。表示部２４ｂは、ＬＣＤ、ＥＬディスプレイ等で構成され、表示画面を顧客側又は店員側に回転可能であり、顧客用の商品の金額、合計金額等の情報を表示する。
【００１２】
印刷部２８は、ロール紙等の用紙に、レシートやレポートのデータ等を印刷するサーマルプリンタ等の印刷部である。ドロア２９は、現金、商品券等を格納する引き出しである。本体部２０１と印刷部２８及びドロア２９とは、ケーブルを介した有線通信により通信接続されている構成とするが、これに限定されるものでなく、無線通信により通信接続されている構成としてもよい。また、本体部２０１には、クレジットカードを読み出して電子決済を行うための電子決済部や、レーザスキャナ、イメージスキャナ等のスキャナ部等、他の装置を接続する構成としてもよい。
【００１３】
次いで、図２を参照して、情報処理装置１の内部の機能構成を説明する。図２は、情報処理装置１の機能構成を示すブロック図である。
【００１４】
図２に示すように、情報処理装置１は、ＣＰＵ（Central Processing Unit）２１と、操作部２２と、ＲＡＭ（Random Access Memory）２３と、ディスプレイとしての表示部２４ａと、表示部２４ｂと、ＲＯＭ（Read Only Memory）２５と、通信部２６と、記憶部２７と、印刷部２８と、ドロア２９と、計時部３０と、を備える。
【００１５】
情報処理装置１の各部は、バス３１を介して互いに接続されている。図２において、印刷部２８及びドロア２９以外の各部は本体部２０１に備えられており、図１の本体部２０１と、印刷部２８及びドロア２９のそれぞれとの接続は、簡単のため、バス３１を介する接続として表現している。
【００１６】
ＣＰＵ２１は、情報処理装置１の各部を制御する。ＣＰＵ２１は、各種プログラムのうち指定されたプログラムをＲＯＭ２５から読み出してＲＡＭ２３に展開し、展開されたプログラムとの協働で後述する電子ジャーナル表示処理をはじめとする各種処理を実行する。
【００１７】
操作部２２は、表示部２４ａの表示画面に設けられたタッチパネルであり、ユーザからのタッチ操作を検出し、タッチ操作された位置の位置情報をＣＰＵ２１に出力する。操作部２２は、例えば、表示部２４ａの売上登録画面（図示せず）に表示される数字キー、ＰＬＵ（Price Look Up）キー、部門キー、仮締キー、小計キー、現金売り／預かり金キー（締めキー）、電子ジャーナル画面（図７参照）に表示される印刷キー、閉じるキー等のソフトキーや、画面上に表示されたリスト等へのタッチ操作を受け付ける。なお、操作部２２は、ハードキーを有する構成としてもよい。
【００１８】
ＲＡＭ２３は、例えば、揮発性の半導体メモリであり、各種データ及びプログラムを格納するワークエリアが形成される。
【００１９】
表示部２４ａ，２４ｂは、ＣＰＵ２１の制御により、各種表示情報を表示画面に表示する。
【００２０】
ＲＯＭ２５は、各種データ及び各種プログラムを記憶する読み出し専用のメモリである。例えば、ＲＯＭ２５には、電子ジャーナルプログラム２５１が記憶されている。
【００２１】
通信部２６は、ネットワークカード等により構成され、ＬＡＮ（Local Area Network）やＷＡＮ（Wide Area Network）等の通信ネットワーク上の機器と情報の送受信を行う。
【００２２】
記憶部２７は、情報の書き込み及び読み出しが可能な記憶部であり、バッテリーバックアップされたＲＡＭ、フラッシュメモリ等で構成される。記憶部２７には、売上データ、各種設定情報等が記憶され、特に、後述する電子ジャーナルファイル４０が記憶される。
【００２３】
印刷部２８は、ＣＰＵ２１の制御により、レシート、レポート、電子ジャーナル等のデータを用紙に印刷する。印刷部２８は、内部にカッターを備え、ＣＰＵ２１の制御に応じて、用紙をカットしながら印刷することができる。
ドロア２９は、ＣＰＵ２１の制御により、例えば売上登録の締め時に、引き出しを開放する。
【００２４】
計時部３０は、リアルタイムクロックであり、現在日時を計時し、その現在日時情報をＣＰＵ２１に出力する。
【００２５】
次に、記憶部２７に記憶される電子ジャーナルファイル４０について説明する。
ＣＰＵ２１は、電子ジャーナルプログラム２５１との協働により、情報処理装置１で取引の操作が行われる毎に、電子ジャーナルファイル４０に取引内容を示す取引データを記録するとともに、取引データに基づき取引内容を示すレシート又はレポートを発行する。ここでいう取引とは、商取引に限らず、レジで一般的に行われる業務を含む。例えば、開設、釣銭準備、両替、登録（売上登録）、入金、返品、点検、精算等を含む。
【００２６】
図３は、電子ジャーナルファイル４０のデータ格納例を示す図である。図３に示すように、電子ジャーナルファイル４０には、「日付」、「一連番号」、「時刻」、「担当者」、「取引種別」、「会計金額」、「印刷種別」、「イメージデータ」等の項目が設けられ、取引の操作が行われる毎に、これらの項目を有する取引データが格納される。
【００２７】
「日付」は、その取引データが書き込まれた日付である。「一連番号」は、情報処理装置１において取引毎に発生する固有番号（取引固有情報）である。「時刻」は、その取引データが書き込まれた時刻である。「担当者」は、取引の操作を行った担当者を示す情報である。「取引種別」は、行われた取引操作の種別を示す情報である。「取引種別」としては、例えば、開設操作の「開設」、釣銭準備操作の「釣銭準備」、両替操作の「両替」、売上登録操作の「登録」、返品登録操作の「返品」、入金操作の「入金」、出金操作の「出金」、点検操作の「点検」、精算操作の「精算」等がある。「会計金額」は、「取引種別」が「登録」又は「返品」の場合の売上金額を示す情報である。「印刷種別」は、当該取引データが電子ジャーナルファイル４０に記録された際に（すなわち、取引操作が行われた際に）発行された印刷物がレシートであるかレポートであるかを示す情報である。「イメージデータ」は、取引操作が行われたときに発行されたレシート又はレポートの情報である。レポートには、点検レポート、精算レポートがある。
【００２８】
図４は、レシートのイメージデータのデータ構成例を示す図である。図４に示すように、レシートのイメージデータは、発行されたレシートの各行についての「種別」と「データ」の項目により構成される。
「種別」は、その行の目的を示す情報であり、例えば、顧客に対するメッセージ類であることを示す「メッセージ」、ヘッダー（主要な情報）であることを示す「ヘッダー」、本文（取引明細）であることを示す「本文」がある。「データ」は、レシートの各行に表示（印刷）される文字列のデータである。種別が「ヘッダー」のデータとしては、例えば、取引種別、端末番号、担当者、日付、時刻、一連番号、顧客の人数等の、取引データを特定するための主要な情報が含まれる。種別が「本文」のデータとしては、例えば、取引の明細（例えば、売上登録された商品名、価格、買い上げ点数、税金、合計、会計種別、会計金額等）が含まれる。
【００２９】
図５は、レポートのイメージデータのデータ構成例を示す図である。図５に示すように、レポートのイメージデータは、発行されたレポートの各行についての「種別」と「データ」の項目により構成される。
「種別」は、その行の目的を示す情報であり、例えば、ヘッダー（主要な情報）であることを示す「ヘッダー」、本文（取引明細）であることを示す「本文」がある。「データ」は、レポートの各行に表示（印刷）される文字列のデータである。種別が「ヘッダー」のデータとしては、例えば、日付、時刻、担当者、一連番号、レポート種別、レポート出力回数等の、取引データを特定するための主要な情報が含まれる。種別が「本文」のデータとしては、取引の明細が含まれる。
すなわち、レシートやレポートは、取引データの各項目の情報の他、取引明細情報を含み、オペレーターは、レシートやレポートを確認することにより取引の詳細を確認することが可能となる。
【００３０】
（情報処理装置１の動作）
次に、情報処理装置１の動作を説明する。図６は、電子ジャーナル表示処理を示すフローチャートである。電子ジャーナル表示処理は、例えば、操作部２２を介してオペレーターから電子ジャーナル表示処理の実行指示が入力されたことをトリガとして、ＣＰＵ２１と、ＲＯＭ２５に記憶されている電子ジャーナルプログラム２５１との協働により実行される。
【００３１】
まず、ＣＰＵ２１は、表示部２４ａに電子ジャーナル画面５０を表示させる（ステップＳ１）。
【００３２】
図７は、電子ジャーナル画面５０の一例を示す図である。図７に示すように、電子ジャーナル画面５０には、日付選択部５１と、リスト表示部５２と、閉じるキー５３と、検索キー５４とが設けられている。
【００３３】
日付選択部５１は、現在の検索日を表示する検索日表示欄５１ａと、右矢印キー５１ｂと、左矢印キー５１ｃと、を有する。右矢印キー５１ｂをタッチ操作すると、現在の検索日を翌日に変更することができる。左矢印キー５１ｃをタッチ操作すると、現在の検索日を前日に変更することができる。
【００３４】
リスト表示部５２は、電子ジャーナルファイル４０を日付選択部５１で選択されている現在の検索日で検索することにより得られた取引データの「一連番号」と「時刻」を一覧表示する。
【００３５】
閉じるキー５３は、電子ジャーナル画面５０の表示を終了して元の画面に戻ることを指示するためのキーである。
【００３６】
検索キー５４は、リスト表示部５２にリスト表示されている取引データの検索を指示するためのキーである。
【００３７】
ステップＳ１において、ＣＰＵ２１は、日付選択部５１、リスト表示部５２、閉じるキー５３、検索キー５４を表示部２４ａの画面上に表示させる。次いで、ＣＰＵ２１は、計時部３０から現在日時を取得し、取得した現在日時の日付を現在の検索日として取得して日付選択部５１の検索日表示欄５１ａに表示させる。次いで、ＣＰＵ２１は、記憶部２７に記憶されている電子ジャーナルファイル４０から「日付」の項目が現在の検索日の取引データを検索して取得し、取得した取引データの「一連番号」、「時刻」の項目の情報の一覧をリスト表示部５２に表示させる。これにより、電子ジャーナル画面５０が表示部２４ａに表示される。
【００３８】
次いで、ＣＰＵ２１は、操作部２２により右矢印キー５１ｂのタッチ操作が検出されたか否かを判断する（ステップＳ２）。
右矢印キー５１ｂのタッチ操作が検出されたと判断した場合（ステップＳ２；ＹＥＳ）、ＣＰＵ２１は、検索日表示欄５１ａの現在の検索日をその翌日に変更し、電子ジャーナルファイル４０から「日付」の項目が変更後の現在の検索日に該当する取引データを検索して検索結果をリスト表示部５２に一覧表示させ（ステップＳ３）、ステップＳ４に移行する。なお、現在の検索日が当日の場合は、翌日は存在しないため、右矢印キー５１ｂの操作は無効となる。
右矢印キー５１ｂのタッチ操作が検出されていないと判断した場合（ステップＳ２；ＮＯ）、ＣＰＵ２１は、ステップＳ４に移行する。
【００３９】
ステップＳ４において、ＣＰＵ２１は、操作部２２により左矢印キー５１ｃのタッチ操作が検出されたか否かを判断する（ステップＳ４）。
左矢印キー５１ｃのタッチ操作が検出されたと判断した場合（ステップＳ４；ＹＥＳ）、ＣＰＵ２１は、現在の検索日をその前日に変更し、電子ジャーナルファイル４０から「日付」の項目が変更後の現在の検索日に該当する取引データを検索して検索結果をリスト表示部５２に一覧表示させ（ステップＳ５）、ステップＳ６に移行する。
左矢印キー５１ｃのタッチ操作が検出されていないと判断した場合（ステップＳ４；ＮＯ）、ＣＰＵ２１は、ステップＳ６に移行する。
【００４０】
ステップＳ６において、ＣＰＵ２１は、操作部２２により検索キー５４のタッチ操作が検出されたか否かを判断する（ステップＳ６）。
検索キー５４のタッチ操作が検出されたと判断した場合（ステップＳ６；ＹＥＳ）、ＣＰＵ２１は、検索条件の入力画面を表示部２４ａにポップアップ表示する（ステップＳ７）。
【００４１】
図８は、検索条件の入力画面の一例を示す図である。図８に示すように、検索条件の入力画面は、例えば、検索ダイアログ６０と、一連番号入力画面６１と、文字列入力画面６２とにより構成される。
検索ダイアログ６０は、検索キー５４のタッチ操作が検出された際に表示される画面であり、検索メニュー６０ａと、閉じるキー６０ｂが設けられている。検索メニュー６０ａから「一連番号検索」がタッチ操作されると、一連番号入力画面６１が表示される。一連番号入力画面６１には、テンキー６１ａ、確定キー６１ｂ、閉じるキー６１ｃが設けられている。テンキー６１ａをタッチして一連番号を入力し、確定キー６１ｂをタッチすることで入力された一連番号が検索条件として設定されるとともに、ポップアップされた画面を閉じることができる。検索メニュー６０ａから「文字検索」がタッチ操作されると、文字列入力画面６２が表示される。文字列入力画面６２には、キーボード６２ａが設けられている。キーボード６２ａのキーをタッチして文字列を入力し、リターンキーをタッチすることで、入力された文字列が検索条件として設定されるとともに、ポップアップされた画面を閉じることができる。検索メニュー６０ａから「全て（条件クリア）」がタッチ操作されると、現在設定されている検索条件をクリアすることができる。
【００４２】
検索条件の入力画面から検索条件が入力されると、ＣＰＵ２１は、入力された検索条件でリスト表示部５２に表示されている取引データに検索を行い、検索結果をリスト表示部５２に一覧表示させ（ステップＳ８）、ステップＳ９に移行する。
検索キー５４のタッチ操作が検出されていないと判断した場合（ステップＳ６；ＮＯ）、ＣＰＵ２１は、ステップＳ９に移行する。
【００４３】
ステップＳ９において、ＣＰＵ２１は、操作部２２によりリスト表示部５２のスクロール操作が検出されたか否かを判断する（ステップＳ９）。
リスト表示部５２のスクロール操作が検出されたと判断した場合（ステップＳ９；ＹＥＳ）、ＣＰＵ２１は、スクロール操作された方向に応じて、検索された取引データのうち、リスト表示部５２に表示する取引データを変更し（ステップＳ１０）、ステップＳ１１に移行する。
リスト表示部５２のスクロール操作が検出されていないと判断した場合（ステップＳ９；ＮＯ）、ＣＰＵ２１は、ステップＳ１１に移行する。
【００４４】
ステップＳ１１において、ＣＰＵ２１は、操作部２２によりリスト表示部５２に表示された一覧のいずれかの行のタッチ操作（リストタッチ操作）が検出されたか否かを判断する（ステップＳ１１）。
リストタッチ操作が検出されたと判断した場合（ステップＳ１１；ＹＥＳ）、ＣＰＵ２１は、表示部２４ａにより、タッチされた行の領域を広げ、広げた領域内にタッチされた行の取引データに対応するレシート又はレポート（すなわち、タッチされた行の取引データが示す取引において発行されたレシート又はレポート）のイメージ５２ａ及び当該レシート又はレポートの印刷を指示するための印刷キー５２ｂを表示させ（ステップＳ１２）、ステップＳ１３に移行する。なお、ＣＰＵ２１は、タッチされた行の取引データのイメージデータに基づいてイメージ５２ａの表示及び印刷を行う。
【００４５】
図９は、リスト表示部５２の３行目がタッチ操作された場合の電子ジャーナル画面５０の表示の一例を示す図である。図９に示すように、３行目がタッチ操作されると、リスト表示部５２の３行目の領域が広がり、広がった領域内にタッチされた行が示す取引において発行されたレシート又はレポートのイメージ５２ａ及びその印刷キー５２ｂが表示される。
ここで、レシート又はレポートが縦に長かった場合、例えば、ＣＰＵ２１は、固定の長さまでの一部のイメージをイメージ５２ａとして表示させ、イメージ５２ａがタッチ操作されると、レシート又はレポートの全体が個別に表示されたイメージ表示画面７０を表示部２４ａに表示させる。イメージ表示画面７０は、図１０に示すように、レシート又はレポートの全体イメージ７１、印刷キー７２、戻るキー７３が表示された画面である。レシート又はレポートが非常に長く、全体イメージ７１の表示領域においても全体が表示できない場合は、スクロールにより全体を表示させることができる。印刷キー７２がタッチ操作されると、ＣＰＵ２１は、表示されたレシート又はレポートを印刷部２８に印刷させる。戻るキー７３がタッチ操作されると、ＣＰＵ２１は、表示部２４ａに電子ジャーナル画面５０を表示させる（電子ジャーナル画面５０に戻る）。
または、レシート又はレポートが縦に長かった場合、固定の長さまでの一部のイメージをイメージ５２ａとして表示させ、スクロールにより全体を表示可能としてもよい。あるいは、全体を表示すべくイメージ５２ａの領域を縦長で表示し、表示しきれない部分についてはスクロールにより表示可能としてもよい。
【００４６】
なお、リスト表示部５２において複数の行がタッチ操作された場合、ＣＰＵ２１は、図１１に示すように、タッチ操作された複数の行のそれぞれの領域を広げ、広げた領域内にタッチされた行が示す取引において発行されたレシート又はレポートのイメージ５２ａ及び印刷キー５２ｂを表示させる。
【００４７】
ステップＳ１１において、リストタッチ操作が検出されていないと判断した場合（ステップＳ１１；ＮＯ）、ＣＰＵ２１は、ステップＳ１３に移行する。
【００４８】
ステップＳ１３において、ＣＰＵ２１は、操作部２２により印刷キー５２ｂがタッチ操作されたか否かを判断する（ステップＳ１３）。
印刷キー５２ｂがタッチ操作されたと判断した場合（ステップＳ１３；ＹＥＳ）、ＣＰＵ２１は、そのタッチされた印刷キー５２ｂに対応するレシート又はレポートを印刷部２８に印刷させ（ステップＳ１４）、ステップＳ１５に移行する。
印刷キー５２ｂがタッチされていないと判断した場合（ステップＳ１３；ＮＯ）、ＣＰＵ２１は、ステップＳ１５に移行する。
【００４９】
ステップＳ１５において、ＣＰＵ２１は、操作部２２により閉じるキー５３のタッチ操作が検出されたか否かを判断する（ステップＳ１５）。
操作部２２により閉じるキー５３のタッチ操作が検出されていないと判断した場合（ステップＳ１５；ＮＯ）、ＣＰＵ２１は、ステップＳ２に戻る。
操作部２２により閉じるキー５３のタッチ操作が検出されたと判断した場合（ステップＳ１５；ＹＥＳ）、ＣＰＵ２１は、電子ジャーナル画面５０を閉じて電子ジャーナル表示処理を終了し、表示部２４ａに元の画面を表示させる。
【００５０】
以上説明したように、情報処理装置１によれば、ＣＰＵ２１は、電子ジャーナルファイル４０から取得された複数の取引データの一覧を表示部２４ａにより表示させ、表示された一覧の中からいずれかの行が選択された場合に、選択された行の領域を広げ、広げた領域内に当該領域に表示されている取引データが示す取引において発行されたレシート又はレポートの少なくとも一部のイメージ５２ａを表示させる。
したがって、電子ジャーナルファイルの取引データの一覧を見やすく表示することができるとともに、一覧から選択された取引データが示す取引において発行されたレシート又はレポートのイメージを、その選択された取引データに対応付けて見やすく表示することができる。その結果、オペレーターが確認したい取引のデータを容易に特定することが可能となるとともに、特定された取引データが示す取引の取引内容を見やすく表示することが可能となる。
【００５１】
また、ＣＰＵ２１は、選択された行を広げた領域内に、さらに、当該領域に表示されている取引データが示す取引において発行されたレシート又はレポートの印刷を指示するための印刷キー５２ｂを表示させ、印刷キー５２ｂが操作された場合に、選択された行の取引データが示す取引において発行されたレシート又はレポートを印刷部２８に印刷させる。したがって、オペレーターは、選択した取引データに対応するレシート又はレポートを簡単な操作で印刷することが可能となる。
【００５２】
また、ＣＰＵ２１は、表示された一覧の中から複数の行が選択された場合、選択された複数の行の領域をそれぞれ広げ、広げた各領域内に、その領域に表示されている取引データが示す取引において発行されたレシート又はレポートのイメージ５２ａを表示させる。したがって、オペレーターが複数の取引データのレシート又はレポートのイメージを確認したい場合、複数の行を一覧から選択すれば、複数の取引データのレシート又はレポートのイメージ５２ａをそれぞれの取引データに対応付けて電子ジャーナル画面５０上に表示させることが可能となる。
【００５３】
また、ＣＰＵ２１は、表示されたレシート又はレポートのイメージが操作された場合に、レシート又はレポートの全体のイメージが表示されたイメージ表示画面７０を表示部２４ａに表示させる。したがって、一部しか表示されなかったレシート又はレポートについても全体を見やすく表示することが可能となる。
【００５４】
［第２の実施形態］
次に、本発明を適用した第２の実施形態について説明する。
第２の実施形態における情報処理装置は、第１の実施形態に示した情報処理装置１と同様の構成であるため、図１及び図２を援用し、その構成については図示及び説明を省略する。また、電子ジャーナルファイル４０（図３）、レシートのイメージデータ（図４）、レポートのイメージデータ（図５）、電子ジャーナル表示処理（図６）についても、第１の実施形態と同様である。以下、第２の実施形態に特徴的な構成及び処理について説明する。
【００５５】
電子ジャーナル表示処理（図６）のステップＳ１において、ＣＰＵ２１は、表示部２４ａに、図１２に示す電子ジャーナル画面８０を表示させる。
図１２に示すように、電子ジャーナル画面８０には、日付選択部８１と、リスト表示部８２と、閉じるキー８３と、検索キー８４とが設けられている。
【００５６】
日付選択部８１は、現在の検索日を表示する検索日表示欄８１ａと、右矢印キー８１ｂと、左矢印キー８１ｃと、を有する。右矢印キー８１ｂをタッチ操作すると、現在の検索日を翌日に変更することができる。左矢印キー８１ｃをタッチ操作すると、現在の検索日を前日に変更することができる。
【００５７】
リスト表示部８２は、電子ジャーナルファイル４０を日付選択部８１で選択されている現在の検索日で検索することにより得られた取引データの「時刻（取引時刻）」、「一連番号」、「（レジ操作を行った）担当者」、「取引種別」及び「会計金額」を一覧表示する。
【００５８】
リスト表示部８２の上部には、各列に対応する項目９１〜９５（「時刻」、「一連番号」、「担当者」、「取引種別」及び「会計金額」）とソート状態９１ａ〜９５ａが表示される。ソート状態９１ａ〜９５ａは、リスト表示部８２に表示されている取引データのリストにおいて、ソートの基準となる項目（以下、基準項目という。）と昇順／降順を示している。具体的には、基準項目に対応するソート状態９１ａ〜９５ａは黒色三角で示され、基準項目以外の項目に対応するソート状態９１ａ〜９５ａは白色三角で示される。また、ソート状態９１ａ〜９５ａが上向き黒色三角の場合には、昇順にソートされ、下向き黒色三角の場合には、降順にソートされている。図１２の例では、「時刻」という項目９１に対応するソート状態９１ａが上向き黒色三角であることから、「時刻」を基準として昇順にソートされていることがわかる。なお、どの項目を基準項目としてソートするか、ソートする際に昇順とするか降順とするかは、オペレーターの操作部２２からの操作により、任意に変更可能となっている。
【００５９】
また、リスト表示部８２の左端には、各行（取引データ）に対して展開キー８５が表示されている。展開キー８５をタッチ操作すると、タッチ操作された展開キー８５に対応する行の領域が広がり、その領域内に、取引データが示す取引において発行されたレシート又はレポートのイメージ８２ａ（図１３参照）及び当該レシート又はレポートの印刷を指示するための印刷キー８２ｂ（図１３参照）が表示される。
【００６０】
閉じるキー８３は、電子ジャーナル画面８０の表示を終了して元の画面に戻ることを指示するためのキーである。
【００６１】
検索キー８４は、リスト表示部８２にリスト表示されている取引データの検索を指示するためのキーである。
【００６２】
ステップＳ１において、ＣＰＵ２１は、日付選択部８１、リスト表示部８２、閉じるキー８３、検索キー８４を表示部２４ａの画面上に表示させる。次いで、ＣＰＵ２１は、計時部３０から現在日時を取得し、取得した現在日時の日付を現在の検索日として取得して日付選択部８１の検索日表示欄８１ａに表示させる。次いで、ＣＰＵ２１は、記憶部２７に記憶されている電子ジャーナルファイル４０から「日付」の項目が現在の検索日の取引データを検索して取得し、取得した取引データの「時刻」、「一連番号」、「担当者」、「取引種別」及び「会計金額」の項目の情報の一覧をリスト表示部８２に表示させる。ここで、ＣＰＵ２１は、ソート状態９１ａ〜９５ａが示すソート条件（基準項目、昇順／降順）に従って、取引データをソートする。これにより、電子ジャーナル画面８０が表示部２４ａに表示される。
【００６３】
電子ジャーナル表示処理（図６）のステップＳ１１において、ＣＰＵ２１は、操作部２２により、リスト表示部８２に表示された一覧のいずれかの行に対応する展開キー８５に対するタッチ操作が検出されたか否かを判断する。
いずれかの行に対応する展開キー８５のタッチ操作が検出されたと判断した場合（ステップＳ１１；ＹＥＳ）、ＣＰＵ２１は、表示部２４ａにより、タッチされた展開キー８５に対応する行の領域を広げ、広げた領域内にタッチされた展開キー８５に対応する行の取引データに対応するレシート又はレポートのイメージ８２ａ及び当該レシート又はレポートの印刷を指示するための印刷キー８２ｂを表示させる（ステップＳ１２）。なお、ＣＰＵ２１は、タッチされた展開キー８５に対応する行の取引データのイメージデータに基づいてイメージ８２ａの表示及び印刷を行う。
【００６４】
図１３は、リスト表示部８２の４行目（「時刻」が「１０：３０」の取引データ）に対応する展開キー８５がタッチ操作された場合の電子ジャーナル画面８０の表示の一例を示す図である。４行目に対応する展開キー８５がタッチ操作されると、図１３に示すように、リスト表示部８２の４行目の領域が広がり、広がった領域内にタッチされた展開キー８５に対応する行が示す取引において発行されたレシート又はレポートのイメージ８２ａ及び当該レシート又はレポートの印刷を指示するための印刷キー８２ｂが表示される。
【００６５】
また、図１３に示すように、リスト表示部８２において、展開された４行目の左端には、折りたたみキー８６が表示される。折りたたみキー８６がタッチ操作されると、折りたたみキー８６に対応する行の領域が狭められ、図１２に示す状態に戻る。すなわち、リスト表示部８２の４行目に表示されていたレシート又はレポートのイメージ８２ａ及び印刷キー８２ｂは表示されなくなる。
【００６６】
第２の実施形態においても、第１の実施形態と同様、電子ジャーナルファイル４０の取引データの一覧を見やすく表示することができるとともに、一覧から選択された取引データが示す取引において発行されたレシート又はレポートのイメージ８２ａを、その選択された取引データに対応付けて見やすく表示することができる。その結果、オペレーターが確認したい取引の取引データを容易に特定することが可能となるとともに、特定された取引データが示す取引内容を見やすく表示することが可能となる。
【００６７】
また、選択された行を広げた領域（展開された領域）内に表示された印刷キー８２ｂを操作することで、オペレーターは、選択した取引データに対応するレシート又はレポートを簡単な操作で印刷することが可能となる。
【００６８】
なお、上記各実施形態における記述内容は、本発明に係る情報処理装置の好適な一例であり、これに限定されるものではない。
例えば、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００６９】
その他、情報処理装置を構成する各装置の細部構成及び細部動作に関しても、発明の趣旨を逸脱することのない範囲で適宜変更可能である。
【００７０】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
実施された取引に関する取引データの一覧を表示する表示手段と、
前記表示手段に表示された一覧の中からいずれかの行が選択された場合に、選択された行の領域を広げ、広げた領域内に当該領域に表示されている取引データが示す取引において発行されたレシート又はレポートの少なくとも一部のイメージを表示させる制御手段と、
を備える情報処理装置。
＜請求項２＞
前記制御手段は、前記広げた領域内に、さらに、当該領域に表示されているレシート又はレポートの印刷を指示するための印刷キーを表示させ、前記印刷キーが操作された場合に、前記レシート又は前記レポートを印刷手段に印刷させる請求項１に記載の情報処理装置。
＜請求項３＞
前記制御手段は、前記表示手段に表示された一覧の中から複数の行が選択された場合、選択された複数の行の領域をそれぞれ広げ、広げた各領域内に、その領域に表示されている取引データが示す取引において発行されたレシート又はレポートのイメージを表示させる請求項１又は２に記載の情報処理装置。
＜請求項４＞
前記制御手段は、前記広げた領域内に表示されたレシート又はレポートのイメージが操作された場合に、前記レシート又は前記レポートの全体のイメージが表示された別画面を前記表示手段に表示させる請求項１〜３のいずれか一項に記載の情報処理装置。
＜請求項５＞
コンピュータを、
実施された取引に関する取引データの一覧を表示する表示手段、
前記表示手段に表示された一覧の中からいずれかの行が選択された場合に、選択された行の領域を広げ、広げた領域内に当該領域に表示されている取引データが示す取引において発行されたレシート又はレポートの少なくとも一部のイメージを表示させる制御手段、
として機能させるためのプログラム。
【符号の説明】
【００７１】
１  情報処理装置
２１  ＣＰＵ（制御手段）
２２  操作部
２３  ＲＡＭ
２４ａ  表示部（表示手段）
２４ｂ  表示部
２５  ＲＯＭ
２５１  電子ジャーナルプログラム
２６  通信部
２７  記憶部
４０  電子ジャーナルファイル
２８  印刷部
２９  ドロア
３０  計時部
３１  バス
５０  電子ジャーナル画面
５１  日付選択部
５１ａ  検索日表示欄
５１ｂ  右矢印キー
５１ｃ  左矢印キー
５２  リスト表示部
５３  閉じるキー
５４  検索キー
８０  電子ジャーナル画面
８１  日付選択部
８１ａ  検索日表示欄
８１ｂ  右矢印キー
８１ｃ  左矢印キー
８２  リスト表示部
８３  閉じるキー
８４  検索キー
【図１】
2020087405.tif 000003
【図２】
2020087405.tif 000004
【図３】
2020087405.tif 000005
【図４】
2020087405.tif 000006
【図５】
2020087405.tif 000007
【図６】
2020087405.tif 000008
【図７】
2020087405.tif 000009
【図８】
2020087405.tif 000010
【図９】
2020087405.tif 000011
【図１０】
2020087405.tif 000012
【図１１】
2020087405.tif 000013
【図１２】
2020087405.tif 000014
【図１３】
2020087405.tif 000015